(57)【特許請求の範囲】
【請求項１】
音響効果装置を起動するための床面エフェクタであって、前記床面エフェクタは、
正の電荷を収集するように構成される複数の電極を有する第１の板と、
負の電荷を収集するように構成される複数の対向する電極を有する第２の対向する板であって、前記第２の板は、前記第２の板の前記複数の各電極が、前記第１の板の前記複数の対向する電極の１つと同軸に配置されるように、前記第１の板に対して配置される第２の板と、
前記第１の板と前記第２の板との間に配置されるスペーサであって、誘電ギャップを前記電極と前記対向する電極との間に提供するように構成され、それによって、前記第１の板上の前記電極と前記第２の板上の前記対向する電極が共にコンデンサを画定するスペーサと、
複数の押圧可能な部分であって、前記第１の板又は第２の板上に形成され、それによって、前記押圧可能な部分の１つを押圧すると、前記電極の１つと前記対向する電極の１つとの間の距離が減少し、それによってその間の電気容量が変化する押圧可能な部分と、
前記第１の板上に画定され、前記電極に結合されるプリント基板であって、該プリント基板は、出力信号を生成して、前記電気容量の変化に応じて前記音響効果装置を操作するように構成され、前記プリント基板は、各前記電極の電気容量の変化に応じて一意の出力信号を生成するように構成されるプリント基板と、
を備える、床面エフェクタ。
【請求項２】
前記プリント基板は前記第１の板上に画定され、前記少なくとも第１の電極は前記プリント基板上に画定される、請求項１に記載の床面エフェクタ。
【請求項３】
各前記複数の電極は、前記対向する電極と共にコンデンサを形成するのに十分な量の電荷を収集するように構成される、請求項２に記載の床面エフェクタ。
【請求項４】
前記第２の板は導電板である、請求項１に記載の床面エフェクタ。
【請求項５】
少なくとも１つの前記対向する電極は複数の導電領域を含み、各導電領域は、前記複数の電極の１つと協働し、それによって複数のコンデンサを形成するように構成される、請求項１に記載の床面エフェクタ。
【請求項６】
前記スペーサは電気絶縁素材からなり、複数の穴を備え、各穴は前記電極の１つの上に同軸に配置される、請求項１に記載の床面エフェクタ。
【請求項７】
前記押圧可能な部分は前記第２の板上に形成され、各押圧可能な部分は、前記電極の１つに向かう方向に押圧されるように構成される、請求項１に記載の床面エフェクタ。
【請求項８】
前記プリント基板は、前記押圧可能な部分を押圧することによって生じる前記コンデンサの特性の変化を検出し、それに応じて出力信号を作成するように構成される、請求項１に記載の床面エフェクタ。
【請求項９】
各前記押圧可能な部分は、前記押圧可能な部分の周囲に沿って形成される細長い切れ込みを含み、前記押圧可能な部分を前記第２の板のその他の部分に対して内向きに押圧できるように構成される、請求項７に記載の床面エフェクタ。
【請求項１０】
前記細長い切れ込みは４つの部分を含み、各部分は、前記細長い切れ込みの１つの部分が隣接する部分と重なるようにその他の前記部分に対して画定される、請求項９に記載の床面エフェクタ。
【請求項１１】
前記押圧可能な部分は、各前記部分と前記隣接する部分との間に画定される帯を含む、請求項１０に記載の床面エフェクタ。
【請求項１２】
前記帯は、前記押圧可能な部分が様々な角度に押圧されてもよいように構成され、それによって、前記押圧可能な部分は２つ以上の電極と協働してもよい、請求項１１に記載の床面エフェクタ。
【請求項１３】
前記少なくとも１つの押圧可能な部分を操作するように構成される接合板をさらに備える、請求項１に記載の床面エフェクタ。
【請求項１４】
前記接合板は、前記押圧可能な部分と同軸に配置される少なくとも１つの押しボタン要素を含む、請求項１３に記載の床面エフェクタ。
【請求項１５】
前記押しボタン要素は触覚フィードバックを提供するように構成される、請求項１３に記載の床面エフェクタ。
【請求項１６】
各前記電極は、オン／オフ表示を提供するように構成される光源を含む、請求項１に記載の床面エフェクタ。
【請求項１７】
さらに、弦楽器からの信号を受信するように構成される入力ポートを備え、前記信号は前記弦楽器で演奏される音符を特定するデータを含み、前記出力信号は前記音符に関するデータを含む、請求項１に記載の床面エフェクタ。
【発明の詳細な説明】
【技術分野】
【０００１】
本発明は、床面エフェクタ全般に関し、特に電子楽器デジタルインターフェース（以下ＭＩＤＩという）装置を操作するための床面エフェクタに関する。
【背景技術】
【０００２】
床面エフェクタは既知であり、例えばワンマンバンドの音響効果を生成するために広く用いられている形状である。
【０００３】
特許文献１は、輪状の可撓性シートの任意の足踏みスイッチが押圧されると、音階が生成されることを開示する。可撓性シート内では、絶縁素材の穴の開いた緩衝部材が薄い電極の複数の対の間に挿入され、足踏みスイッチを形成する。発振器、増幅器及びスピーカを含む外部回路は可撓性シートにケーブルで接続され、任意の電極の対への接触に反応して楽音を生成する。
【０００４】
特許文献２は音楽装置を開示する。音楽装置、例えば音楽教育器材は、それぞれが少なくとも１つの音に関連する複数の音生成領域を含む床マットなどのユーザインターフェース装置を含む。各音生成領域は、ユーザが領域に接触するときに感知するセンサ構成を含み、好ましくは２つの導体部品を含む。２つの導体部品は絶縁体によって離間される。絶縁体は穴を有し、圧力をかけると、導体部品が電気接続可能となる。処理構成は双方向にユーザインターフェース装置と関連し、スピーカ構成と関連して、スピーカ構成が、ユーザが接触した音生成領域に関連する音を発することが可能である。処理構成は、テレビ画面又はコンピュータモニタなどの表示構成を通じてユーザに指示を提供するように構成されてもよい。
【０００５】
特許文献３は足踏みスイッチを開示する。足踏みスイッチは、上方向に向いた表面を有する底面部材と、表面に配置され、電気的に感知回路と結合する力感知抵抗器と、力感知抵抗器及び底面部材表面に配置される‘Ｕｄｉ  Ｇａｂｒｉｅｌｉ’Ｈ起動層とを含む。起動層は隆起部分を有し、力感知抵抗器の実質的に中央に配置される。隆起部分は、球面の一部である凸状の上面を有する。感知回路は地面と所定の電圧との間に直列で力感知抵抗器と接続する定電流源を含む。
【０００６】
特許文献４は、ユーザの足が行使する力によって、コンビュータで生成された仮想３次元空間の視点及び、その他の目的物を操作するための制御信号を生成する装置を開示する。該装置は、ユーザの足元で用いられる靴、又はパッドを含み、両足内及び両足間の力の均衡を検出するためのセンサ及び回路を含有する。力の均衡の信号はコンピュータシステムに入力され、プログラム制御データを生成するために用いられる。制御データを推進力及びトルクベクトルとして用いて、仮想空間内の視点の位置及び景色の方向性を操作する。
【先行技術文献】
【特許文献】
【０００７】
【特許文献１】英国特許第２０３３１２９号
【特許文献２】英国特許第２４６０４９６号
【特許文献３】米国特許第５４６１３５５号
【特許文献４】米国特許第５８６４３３３号
【発明の概要】
【０００８】
本開示の主題の一態様による音響効果装置を起動するための床面エフェクタが提供される。床面エフェクタは、正の電荷を収集するように構成される少なくとも１つの部分を有する第１の板と、負の電荷を収集するように構成される少なくとも１つの対向する部分を有する第２の板であって、第２の板は、第２の板の少なくとも１つの対向する部分が、第１の板の少なくとも１つの部分と同軸に配置されるように、第１の板に対して配置される第２の板と、第１の板と第２の板との間に配置されるスペーサであって、誘電ギャップを少なくとも１つの部分と少なくとも１つの対向する部分との間に提供するように構成されるスペーサと、少なくとも１つの押圧可能な部分であって、第１の板又は第２の板上に形成され、それによって、押圧可能な部分を押圧すると、少なくとも１つの部分と少なくとも１つの対向する部分との間の距離が減少し、それによってその間の電気容量が変化する押圧可能な部分と、少なくとも１つの部分に結合されるプリント基板であって、出力信号を生成して、電気容量の変化に応じて音響効果装置を操作するように構成されるプリント基板とを含む。
【０００９】
プリント基板は第１の板上に画定されてもよく、少なくとも第１の部分はプリント基板上に画定される電極である。
【００１０】
少なくとも１つの部分は複数の電極を含んでいてもよい。複数の電極のそれぞれは、その間にコンデンサが形成されるように対向する部分に対して配置され、少なくとも１つの押圧可能な部分は、複数の押圧可能な部分を含み、複数の押圧可能な部分のそれぞれは、複数の電極の１つと対向する部分との間の電気容量を変更するように構成され、プリント基板は、各電極の電気容量の変化に応じて一意の出力信号を生成するように構成される。
【００１１】
複数の電極のそれぞれは、対向する部分と共にコンデンサを形成するのに十分な量の電荷を収集するように構成されてもよい。
【００１２】
第２の板は伝導板であってもよい。
【００１３】
少なくとも１つの対向する部分は複数の伝導領域を含み、各伝導領域は、複数の電極の１つと協働し、それによって複数のコンデンサを形成するように構成されてもよい。
【００１４】
スペーサは電気絶縁素材からなっていてもよく、複数の穴を備え、各穴は電極の１つの上に同軸に配置される。
【００１５】
押圧可能な部分は第２の板上に形成されてもよく、各押圧可能な部分は、電極の１つに向かう方向に押圧されるように構成される。
【００１６】
プリント基板は、押圧可能な部分を押圧することによって生じるコンデンサの特性の変化を検出し、それに応じて出力信号を作成するように構成されてもよい。各押圧可能な部分は、押圧可能な部分の周囲に沿って形成される細長い切れ込みを含み、押圧可能な部分を第２の板のその他の部分に対して内向きに押圧できるように構成されてもよい。細長い切れ込みは４つの部分を含んでいてもよく、各部分は、細長い切れ込みの１つの部分が隣接する部分と重なるようにその他の部分に対して画定される。
【００１７】
押圧可能な部分は、各部分と隣接する部分との間に画定される帯を含んでいてもよい。
【００１８】
前記帯は、押圧可能な部分が様々な角度に押圧されてもよいように構成されてもよく、それによって、押圧可能な部分は２つ以上の電極と協働してもよい
【００１９】
床面エフェクタはさらに、少なくとも１つの押圧可能な部分を操作するように構成される接合板を含んでいてもよい。
【００２０】
前記接合板は押圧可能な部分と同軸に配置される少なくとも１つの押しボタン要素を含んでいてもよい。
【００２１】
前記押しボタン要素は触覚フィードバックを提供するように構成されてもよい。
【００２２】
各電極はオン／オフ表示を提供するように構成される光源を含んでいてもよい。
【００２３】
床面エフェクタはさらに、弦楽器からの信号を受信するように構成される入力ポートを含んでいてもよく、信号は弦楽器で演奏される音符を特定するデータを含み、出力信号は音符に関するデータを含む。
【００２４】
本発明の別の態様による音響効果装置を起動するための床面エフェクタが提供される。床面エフェクタは、電荷を収集するように構成される少なくとも１つの電極を有する底板と、電極で収集される電荷の極性と反対の極性を有する電荷を収集するように構成される少なくとも１つの押圧可能な部分を有する伝導板であって、押圧可能な部分は、押圧可能な部分を押圧することによって、少なくとも１つの押圧可能な部分と少なくとも１つの電極との間の距離が低減し、それによってその間の電気容量が変化するように構成される伝導板と、底板と伝導板との間に配置されるスペーサであって、少なくとも１つの電極と少なくとも１つの押圧可能な部分との間に誘電体ギャップを提供するように構成されるスペーサと、少なくとも１つの電極及び伝導板に結合されるプリント基板であって、出力信号を生成して、電気容量の変化に応じて音響効果装置を操作するように構成されるプリント基板とを含む。
【００２５】
本発明のさらに別の態様による音響効果装置を起動するための床面エフェクタが提供される。床面エフェクタは、第１の板と、第１の板から離間する少なくとも１つの押圧可能な部分を画定する第２の板と、押圧可能な部分と第１の板との間の距離の変化を感知するように構成される少なくとも１つのセンサと、弦楽器からの信号を受信するように構成される入力ポートであって、信号は弦楽器で演奏される音符を特定するデータを含む入力ポートと、入力ポート及びセンサに結合されるプリント基板であって、データを含む出力信号を生成して、距離の変化に応じて音響効果を起動する出力信号を生成するように構成されるプリント基板とを含む。
【００２６】
出力信号はＭＩＤＩ装置を起動するように構成されてもよい。
【００２７】
前記センサは、正の電荷を収集するように構成される第１の板上の少なくとも１つの部分と、負の電荷を収集するように構成される第２の板上の少なくとも１つの対向する部分と、第１の板と第２の板との間に配置されるスペーサであって、少なくとも１つの部分と少なくとも１つの対向する部分との間に誘電体ギャップを提供するように構成されるスペーサとを含んでいてもよい。押圧可能な部分は、押圧可能な部分を押圧すると、少なくとも１つの部分と少なくとも１つの対向する部分との間の距離が減少し、それによってその間の電気容量が変化するように構成される。
【００２８】
前記センサは圧電センサであってもよい。
【００２９】
押圧可能な部分は、押圧可能な部分の周囲に沿って形成される細長い切れ込みを含んでいてもよく、押圧可能な部分を第２の板のその他の部分に対して内向きに押圧できるように構成される。
【００３０】
細長い切れ込みは複数の部分を含んでいてもよく、各部分は、細長い切れ込みの１つの部分が隣接する部分と重なるようにその他の部分に対して画定される。押圧可能な部分は、各部分と隣接する部分との間に画定される帯を含んでいてもよい。該帯は、押圧可能な部分が様々な角度に押圧されてもよいように構成されていてもよく、それによって、押圧可能な部分は２つ以上のセンサと協働してもよい。
【００３１】
本発明のさらに別の態様による、プリント基板を有する床面エフェクタを用いて音響効果を生成するための方法が提供される。本方法は、少なくとも１つの音響効果を生成するための出力信号を作成するように構成され、プリント基板に結合される少なくとも１つのボタンは出力信号を起動するように構成される。本方法は、床面エフェクタのプリント基板に弦楽器からの入力信号を提供することであって、入力信号は弦楽器で演奏される音符を特定するデータを含むことと、所望する音響効果に関連するボタンを押圧することと、押圧に応じて、音響効果を起動する出力信号を生成することであって、出力信号は音符に関するデータを含むこととを含む。
【００３２】
本出願で用いる音響効果とは、リズム、ビート、速さの調整、様々な楽音の追加、ひずみ効果、音楽信号の周波数を変化させるためのフィルタ効果、変調効果、音程及び周波数効果、時間ベースの効果、音声フィードバックをいう。
【００３３】
本開示を理解し、実際に実行する方法を認識するために、非限定的な実施例としてのみ、添付図を参照して以下に実施形態を記載する。
【図面の簡単な説明】
【００３４】
【図１Ａ】本発明の実施形態により構成され、動作する床面エフェクタの斜視図である。
【図１Ｂ】図１Ａの床面エフェクタの背面の斜視図である。
【図１Ｃ】図１Ａの床面エフェクタの分解組立図を例示する。
【図２】図１Ａの床面エフェクタの底板の上面図である。
【図３】図１Ａの床面エフェクタのスペーサの上面図である。
【図４】図１Ａの床面エフェクタの伝導板の上面図である。
【図５】図１Ａの床面エフェクタの接合板の上面図である。
【発明を実施するための形態】
【００３５】
ここで図１Ａから１Ｃを参照すると、床面エフェクタ１０は筐体１２を含む。筐体１２は、それぞれが音響効果を起動するように構成される複数の押しボタン要素２８を画定する。筐体１２は床面上に配置され、ユーザの足で操作されるように構成される。例えば、筐体１２を第１の側面が対向する側面より高くなるように構成することができ、それによって第１の側面と対向する側面との間に延在する筐体の接合面は、筐体が配置される床面に対して傾斜して配置される。それによって、ユーザの足が要素２８を押圧する操作を促進する。
【００３６】
筐体１２はさらに電源に接続するための電気受け口４０と、ギターなどの弦楽器から信号を受信するように構成される入力ポート４２とを含む。実施例によれば、入力ポート４２は検出システムに電気的に接続することができる。検出システムは、弦楽器で演奏される音符を検出する。弦楽器は、ＰＣＴ／ＩＬ２０１５／０５０２４４が開示するように複数の離間した導体を備える指板を有する。したがって、床面エフェクタ１０は、弦楽器で演奏される音符を特定するデータを有する信号を受信する。
【００３７】
筐体１２はさらに、ＭＩＤＩ装置（不図示）などの音響効果装置に結合されるように構成される出力ポート４４を含む。出力ポート４４を通じて伝達される出力信号は、複数の音響効果を起動し、複数の楽器又はＭＩＤＩ装置の任意の他の機能を操作してもよい。
【００３８】
床面エフェクタ１０はさらに、底板１５と、伝導板１９と、その間に配置され、筐体１２に覆われるスペーサ１７とを含む。底板１５及び伝導板１９は一緒に、以下詳細を説明するスイッチとして使用可能な少なくとも１つのコンデンサを形成するように構成される。床面エフェクタ１０はさらに、各コンデンサスイッチを操作するように構成される接合板２１と、接合板を機械的に保護する剛性板２５とを含んでいてもよい。
【００３９】
図２を参照すると、底板１５はその上に画定されるプリント基板（以下ＰＣＢという）２０を含む。プリント基板は、例えば電気受け口４０を通じて電源に電気的に結合される。このように、底板１５はプラスチック素材、又はその上にＰＣＢを形成するのに適切な任意の基板からなっていてもよい。
【００４０】
ＰＣＢ２０は、本明細書で電極２２として例示し、その上に電荷を収集するように構成される複数の部分と、ＰＣＢ２０の様々な要素を結合する複数の伝導体１３とを含む。電極２２はその上に電荷を収集するように構成される。例えば、電極は導体素材からなり、伝導体１３によって帯電されるように構成されるＰＣＢ上の区域であってもよい。伝導体１３は電気受け口４０又は電池などの任意の他の電源に結合されてもよい。
【００４１】
電極２２は、それによって、以下に説明するように伝導板１９と共にコンデンサを形成するような十分な量の電荷を収集するような大きさであってもよい。
【００４２】
ＰＣＢ２０は、電気容量の変化を検出するように構成される電気部品を含む。その目的は以下に説明する。ＰＣＢ２０はさらに、電極２２を操作し、電極２２からの出力信号を操作するための従来技術で既知のその他の電気部品２３を含んでいてもよい。さらに、ＰＣＢ２０は微小制御装置（不図示）を含んでいてもよい。微小制御装置は、電極２２から床面エフェクタ１０に結合されるその他の装置への電気信号の伝達を制御する。実施例によれば微小制御装置は入力ポート４２から弦楽器で演奏されている音符を特定するデータを有する信号を受信するように構成される。微小制御装置はさらに、弦楽器で演奏される音符を含む出力信号を生成するように構成されてもよく、さらに音符に対応する音響効果を起動してもよい。音響効果は人工的に作成された音、又は強化音であってもよく、又は弦楽器で演奏される音楽を強調するために用いられる音処理であってもよい。このように、床面エフェクタ１０に結合される弦楽器で演奏される音符に関するデータを含む信号を用いても、用いなくても、微小制御装置は音響効果を駆動するための信号を生成するように構成されてもよい。
【００４３】
図４に示すように、伝導板１９は電荷を収集するように構成される少なくとも１つの対向する部分を有する。対向する部分は、底板１５の電極２２で収集される電荷の極性に対して反対の極性を有する。
【００４４】
伝導板１９は金属板などの導体素材からなっていてもよく、それによって、板全体は、電極２２で収集される電荷とは反対の極性を有する電荷を収集するように構成される。伝導板１９は底板１５上に画定されるＰＣＢ２０に結合され、底板１５上に画定される電極２２と協働し、それによって、伝導板１９と電極２２にわたる電位を形成するように構成される。
【００４５】
実施例によれば、伝導板１９をＰＣＢ２０に結合することは、ねじ５０などの固定要素によって実施され、底板１５、スペーサ１７及び伝導板１９を一緒に筐体１２に固定する。代替的に、伝導板１９をＰＣＢ２０に結合することは、その間に適切な伝導体を提供することによって実施されてもよい。
【００４６】
図２に示すように、複数のコンデンサが形成される。各電極２２はコンデンサの第１の端子を板１５に画定し、伝導板１９は第２の端子を画定する。実施例によれば、電極２２は、その上に正の電荷を収集するように構成されるが、伝導板１９は接地としてＰＣＢに結合され、その上に負の電荷を収集するように構成される。
【００４７】
他の実施例によると、電極２２はその上に負の電荷を収集するように構成されてもよいが、伝導板１９はその上に正の電荷を収集するように構成されることが理解されよう。
【００４８】
伝導板１９は非導体素材からなっていてもよいが、しかしながらその上に複数の導体領域が画定されていることがさらに理解されよう。各導体領域は底板１５のＰＣＢ２０に結合されてもよく、電極２２で収集される電荷に対して反対の極性を持つ電荷をその上に収集するように構成される。このようにして、各導体領域は電極２２の１つと協働し、２つの対向する端子を有するコンデンサを一緒に形成する。伝導板１９は底板１５に対してこのように配置され、それによって、導体領域は電極２２に対して同軸に配置され、それによってコンデンサを形成することが理解されよう。コンデンサ内では、各電極２２は第１の端子を画定し、各導体領域は第２の端子を画定する。
【００４９】
再度図３を参照すると、厚さを有するスペーサ１７は底板１５と伝導板１９との間に配置される。スペーサ１７は、各電極２２と伝導板１９との間、又はその上の導体領域との間に非導電性領域を形成するように構成される。例示実施例によれば、スペーサ１７は電気絶縁素材からなり、複数の穴２４を備える。それによって、スペーサ１７が底板１５上に配置されるとき、各穴２４は同軸に電極２２の１つの上に取り付けられる。このようにして、伝導板１９を用いて組み立てると、穴２４内の空間は、形成されたコンデンサの２つの端子間で、つまり電荷を収集する伝導板１９と電荷を収集する電極２２との間で誘電体として機能する。伝導板で収集される電荷は、電極で収集される電荷とは反対の極性を有することが理解されよう。
【００５０】
スペーサ１７の厚さは、伝導板１９と各電極２２との間の穴にわたって形成される、必要な電気容量のパラメータにしたがって構成されてもよいことが理解されよう。つまり、スペーサ１７の厚さは、コンデンサの第１と第２の端子の間に必要な距離にしたがって、つまり、電極２２と伝導板１９との間の必要な距離にしたがって構成される。
【００５１】
底板１５と伝導板１９との間に一定した距離を維持するために、底板１５と伝導板１９は剛性素材からなり、筐体１２内部にしっかりと取り付けられることが理解されよう。しかしながら、スペーサ１７は任意の素材からなっていてもよく、可撓性であっても、剛性であってもよい。
【００５２】
図４を参照すると、伝導板１９は、電極２２の方向に押圧されるように構成される複数の押圧可能な部分２６を含む。押圧可能な部分２６は、伝導板１９が底板１５とスペーサ１７を挟んで組み立てられると、各押圧可能な部分２６が穴２４の１つと電極２２の１つとの上に同軸に配置されるように、画定される。このようにして、各押圧可能な部分２６は、１つの電極２２に関連し、それぞれの電極２２に向かって押圧されてもよい。それによってコンデンサの２つの対向する端子間の距離、つまり伝導板１９及び電極２２のそれぞれの部分間の距離が修正される。結果として、穴２４にわたる電気容量が変化し、それによってそれぞれの電極２２と伝導板１９との間に形成されるコンデンサの特性が修正される。実施例によれば、押圧可能な部分２６は伝導板１９と一体化した部分として形成されることが理解されよう。つまり、押圧可能な部分２６は導体素材からなり、それによって底板１５の電極２２と協働するように構成される端子を形成する。
【００５３】
伝導板１９は非導電性素材からなるが、導体領域を備える場合は、導体領域は押圧可能な部分２６上に画定され、それによって、押圧可能な部分２６を押すことによって、導体領域とそれに関連する電極２２との間の距離が修正されることが当業者には理解されよう。
【００５４】
実施例によれば、少なくとも底板１５の電極２２は剛性素材からなり、押圧可能な部分２６などの伝導板１９の伝導領域は可撓性素材からなり、それによって電極２２に向かって押圧することが可能となる。本実施例によると、可撓性素材は形状保持素材であり、それによって、押圧可能な部分２６は電極２２に向かって押圧されてもよく、押圧されていないときは電極から後退するように構成される。ＰＣＢ２０は、電極２２と伝導板１９との間に形成されるコンデンサの特性の変化を検出して、それに応じて出力信号を生成するように構成されてもよい。変化は、例えば電極２２と伝導板１９間の電位の変化、又は電極２２の電気容量の変化である。
【００５５】
出力信号は、床面エフェクタ１０に結合される楽器などの装置を起動するように構成されてもよい。したがって、各電極２２は、その他の電極から独立して出力信号を起動するように構成されてもよい。各電極の出力信号は前もって音響効果、楽器などを起動するように設定されてもよく、又は床面エフェクタ１０に結合される弦楽器で演奏される音符に関する信号に対する操作指令を設定するように設定されてもよい。
【００５６】
例示実施例によれば、押圧可能な部分２６は、その周囲に沿って形成される１又は複数の細長い切れ込み３０を備えていてもよい。切れ込み３０は各押圧可能な部分２６に可撓性を与えるように構成され、それによって押圧可能な部分２６は伝導板１９のその他の部分に対して底板１５に向かって内側に押圧されてもよい。このようにして、各押圧可能な部分２６は、個別にそれぞれの電極２２に向かって押圧される一方、伝導板１９上に画定されるその他の押圧可能な部分２６は所定の場所に留まる。したがって、電極２２の１つによって画定される各スイッチと対応する押圧可能な部分２６は、対応する押圧可能な部分２６を押圧することによって、個別に起動されてもよい。
【００５７】
実施例によれば、細長い切れ込み３０は、各押圧可能な部分２６の周辺部の回りに画定される４つの部分的に重なる部分３２ａ、３２ｂ、３２ｃ及び３２ｄを含む。重なる部分３２ａ、３２ｂ、３２ｃ及び３２ｄのそれぞれは、その他の部分に対して画定され、それによって、その１つの部分は隣接する部分と重なる。例えば、第１の重なる部分３２ａは、連続する部分、つまり第２の重なる部分３２ｂと切れ込みが重なる部分を含む。第２の重なる部分３２ｂは、連続する部分、つまり第３の重なる部分３２ｃと重なる部分を含む。第３の重なる部分３２ｃは、連続する部分、つまり第４の重なる部分３２ｄと重なる部分を含む。第４の重なる部分３２ｄはまた、第１の重なる部分３２ａと重なる部分を含む。したがって、各押圧可能な部分２６の周囲は、一対の重なる切れ込み３０を含む。その間に帯３４が画定される。前述したように、重なる部分は連続しておらず、むしろ４つの部分に分割されるため、帯３４は押圧可能な部分２６の中間部分に、その一端で結合され、他端で伝導板１９に結合されている。
【００５８】
このようにして、各帯３４は、伝導板１９に結合される押圧可能な部分２６を維持する一方、切れ込み３０は押圧可能な部分２６にある程度の可撓性を与え、それによって伝導板１９に対して内側に押圧されることが可能となる。
【００５９】
帯の幅は、押圧可能な部分２６の必要な強さ及び／又は可撓性にしたがって決定されてもよいことが理解されよう。さらに、重なる部分の量及び大きさならびに各部分間の距離は、押圧可能な部分２６の耐久性を損なわずに、所望する可撓性を実現するように決定されてもよい。
【００６０】
さらに、帯３４の配置は、押圧可能な部分が様々な角度に押圧できるように構成されてもよい。このようにして、底板は押圧可能な部分の下に配置される２以上の電極を含んでいてもよい。それによって、加圧押圧可能な部分を１つの角度に押圧することによって、押圧可能な部分と電極の１つとの間の電気容量が生じる。各電極はしたがって、出力信号を起動するように構成される。
【００６１】
例示実施例では、細長い切れ込み３０は、４つの部分的に重なる部分３２ａ、３２ｂ、３２ｃ及び３２ｄを含む。４つの部分的に重なる部分３２ａ、３２ｂ、３２ｃ及び３２ｄは一緒に円形の押圧可能な部分２６を形成するが、他の実施例によると、細長い切れ込み３０は任意の数の重なる部分を任意の所望する形態で含んでいてもよい。それによって、伝導板１９のその他の部分に対して可撓性を有する区切られた領域が形成される。
【００６２】
押圧可能な部分２６に可撓性を与えるために、その他の構成を適応してもよいことが理解されよう。例えば、押圧可能な部分２６の耐久性を妥協しないように、押圧可能な部分２６はユーザの足、例えばギター演奏者の足によって押圧されてもよい。床面エフェクタ１０は、例えば形成されるスイッチの意図する用途にしたがって、様々な大きさ、様々な可撓性の程度及び耐久性を有する押圧可能な部分を含んでいてもよいことがさらに理解されよう。このように、床面エフェクタに機械的スイッチを提供する必要はない。
【００６３】
ここで図５を参照すると、床面エフェクタ１０はさらに、電極と押圧可能な部分２６によって形成される各スイッチを操作するように構成される接合板２１を含む。接合板２１は、複数の加圧要素２８を含んでいてもよい。複数の加圧要素２８は、接合板２１の表面から上方向に突出し、それによって、接合板２１の表面の上に配置される。それによって、伝導板１９が底板１５と共に間にスペーサ１７を挟んで組み立てられるとき、各押しボタン要素２８は押圧可能な部分２６の１つの上に同軸に配置される。それによって、押しボタン要素２８は、押しボタン要素２８を押圧すると、対応する押圧可能な部分２６が伝導板１９に対して内向きに、それぞれの電極２２に向かって押圧されるように構成される。押しボタン要素２８は非導電性素材からなっていてもよく、それによって、ユーザが押しボタン要素２８を押圧しても、伝導板１９及びそれぞれの電極２２によって形成されるコンデンサの電気容量には影響しない。
【００６４】
本発明の実施形態によれば、押しボタン要素２８は、触覚フィードバックを提供するように構成されてもよい。それによって、ユーザが押しボタン要素２８を押圧すると、ユーザは電極２２及び押圧可能な部分２６によって形成されるスイッチの位置に関して感覚的な表示を得ることができる。押しボタン要素２８はさらに、押しボタン要素２８を押圧することに対応して起動される操作に関する注釈を備えていてもよい。
【００６５】
例示実施例によれば、接合板２１は、ゴム、シリコーンなどの可撓性素材からなる。それによって、押しボタン要素２８が押しやすくなる。このように、床面エフェクタ１０はさらに、剛性の板２５を含む。剛性の板２５は、接合板２１上に配置され、接合板２１に機械的保護を提供するように構成される。
【００６６】
剛性の板２５は複数の開口２９を含む。複数の開口２９によって、押しボタン要素２８にアクセスして、ユーザが押しボタン要素を押しやすくするように構成される。
【００６７】
接合板２１は、その上に複数の可撓性要素を取り付けた剛性素材からなっていてもよいことが理解されよう。複数の可撓性要素は押圧され、それによって押圧可能な部分２６を関連する電極２２に向かうように押すように構成される。可撓性要素は、ばねで付勢される要素、ゴム要素、シリコーン部分などであってもよい。
【００６８】
実施例によれば、各電極２２は光源を含む。各押圧可能な部分２６は穴２７を含み、穴２７を通じて光源照明することができる。光源をオン／オフ表示として用いてもよく、又はそれぞれの容量スイッチによって起動される音響効果を表示するために用いてもよい。本実施例によれば、押しボタン要素２８は、光源からの照明を通過させるように構成される透明又は半透明な部分２８ａを含んでいてもよい。
【００６９】
床面エフェクタ１０は出力ポート４４を経てＭＩＤＩ装置（不図示）に結合し、複数の音響効果を起動し、複数の楽器又は任意の他のＭＩＤＩ装置の機能を操作してもよい。実施例によれば、入力ポート４２は検出システムに電気的に結合し、弦楽器で演奏される音符を検出してもよい。弦楽器はＰＣＴ／ＩＬ２０１５／０５０２４４で開示されるような複数の離間した導体を備える指板を有する。したがって、床面エフェクタ１０は、弦楽器で演奏される音符を特定するデータを有する信号を受信する。音符を特定するデータを備える信号は、床面エフェクタによって起動される音響効果と共に、又は音響効果に追加してＭＩＤＩ装置に送信されてもよい。
【００７０】
操作時には、押しボタン要素２８の１つを押圧することに対応して、それぞれの押圧可能な部分２６は対応する電極２２に向かって押され、それによって電極２２の電気容量が変化する。ＰＣＢ２０は、電気容量の変化又は電極２２及び伝導板１９によって形成される任意の他のコンデンサの特性の変化を検出するように構成される。ＰＣＢ２０はさらに、出力信号を作成し、ＭＩＤＩシンセサイザなどのＭＩＤＩ装置の機能を起動するように構成される。
【００７１】
したがって、床面エフェクタ１０によって、ユーザは弦楽器を手で演奏しながら、足で音響効果を起動することができる。床面エフェクタ１０によって、さらに、例えば、入力ポート４２を通じて弦楽器が備える検出システムから受信するデータにしたがって、弦楽器によって演奏される音符に関連する信号を送信することができる。ユーザはさらに、弦楽器によって演奏される音符の、音量、諧調応答などの特徴を修正することができる。床面エフェクタ１０によって、したがって、ＭＩＤＩ装置などの音響装置に、弦楽器によって演奏される音符及び音符に付随する所望する効果に関するデータ含む出力信号を送信することができる。
【００７２】
別の実施例によれば、電極を備えるＰＣＢを床面エフェクタの上板に画定し、底板は導体素材からなっていてもよい。本実施例によると、各電極は、例えば細長い切れ込みを電極の周辺部の回りに提供することによって押圧可能な部分となっていてもよい。押圧可能な部分を押圧することによって、それぞれの電極は伝導板に近付き、それによってその間の電気容量が変化する。
【００７３】
本発明の別の実施例によれば、床面エフェクタはその上に画定されるＰＣＢを有する底面パネルを含んでいてもよい。ＰＣＢはＰＣＢに結合する複数の圧電センサを備える。ＰＣＢはさらに、従来技術で既知のように、様々な電気部品を含み、圧電センサを操作し、電気部品からの出力信号を送信してもよい。床面エフェクタはさらに、その上に画定される複数の押圧可能な部分を有する上板を含む。この押圧可能な部分は、前述の実施例の押圧可能な部分２６と実質的に同じである。上板は、その上に画定される押圧可能な部分が底板の上に画定される圧電センサに対して同軸に配置されるように、底板に対して配置される。このように、各押圧可能な部分及び対応する圧電センサは一緒にスイッチを形成する。押圧可能な部分の１つを押圧すると、対応する圧電センサによって検出され、それに対応してＰＣＢは出力信号を生成して、押圧可能な部分に関連する楽器又はＭＩＤＩ装置を起動する。
【００７４】
本開示の主題に関連する当業者には、多数の変更、変形、及び修正が本発明の範囲から逸脱せずに、必要な変更を加えて実施可能なことが容易に理解されよう。
【図１Ａ】
0006414917.tif 000002
【図１Ｂ】
0006414917.tif 000003
【図１Ｃ】
0006414917.tif 000004
【図２】
0006414917.tif 000005
【図３】
0006414917.tif 000006
【図４】
0006414917.tif 000007
【図５】
0006414917.tif 000008